(57)【要約】【課題】電動送風機と集塵部とを有する掃除機本体１と、被掃除面に対面する開口部を有して集塵部に連通する吸口体６を有し、掃除機本体１と吸口体６の間に、ホース体２、手元操作部４、延長管５を備え、延長管５に対し吸口体６を着脱自在に保持するクランプ機構が設けられてなる電気掃除機において、吸口体６の着脱を簡単かつ楽に行うことのできる電気掃除機を提供する。【解決手段】吸口体６側もしくは延長管５側に、足で踏むことにより吸口体６の保持を解除するクランプ解除手段３３を設けた構成とする。さらにこの構成では、延長管５の先端部に付属ブラシユニット１４を装着し、この付属ブラシユニット１４は、吸口体６が保持された状態ではブラシ１７が引込み、吸口体６の保持が解除されるとブラシ１７が表出する構造とする。【選択図】  図１  
2005312788.tif 000002
【特許請求の範囲】
【請求項１】
電動送風機と集塵部とを内蔵する掃除機本体と、被掃除面に対面する開口部を有して前記集塵部に連通する吸口体を有し、前記掃除機本体と前記吸口体の間に、ホース体、手元操作部、延長管を備え、前記延長管に対し前記吸口体を着脱自在に保持するクランプ機構が設けられてなる電気掃除機において、
前記吸口体側もしくは前記延長管側に、足で踏むことにより前記吸口体の保持を解除するクランプ解除手段を設けたことを特徴とする電気掃除機。
【請求項２】
前記延長管の先端部に付属ブラシユニットを装着し、この付属ブラシユニットに前記吸口体を保持するようにしたことを特徴とする請求項１に記載の電気掃除機。
【請求項３】
前記付属ブラシユニットは、前記吸口体が保持された状態ではブラシが引込み、前記吸口体の保持が解除されるとブラシが表出する構造であることを特徴とする請求項２に記載の電気掃除機。
【請求項４】
前記吸口体は、吸口本体と、この吸口本体に回動自在に連結され、前記延長管側に挿入嵌合される吸口継手と、によりなり、前記吸口継手に前記クランプ解除手段を設けたことを特徴とする請求項１に記載の電気掃除機。
【請求項５】
前記吸口体には、前記吸口継手を前記吸口本体に対し起立方向に付勢する付勢手段が備えられていることを特徴とする請求項４に記載の電気掃除機。
【請求項６】
前記付勢手段は、前記吸口本体と前記吸口継手間の回動軸周りに装着した捩りコイルバネにより構成されることを特徴とする請求項５に記載の電気掃除機。
【発明の詳細な説明】
【技術分野】
【０００１】
本発明は電気掃除機に関し、特に延長管に吸口体を着脱自在に保持するクランプ機構を備えた電気掃除機において、延長管に対し吸口体を簡単に着脱できる機構を有する電気掃除機に係るものである。
【背景技術】
【０００２】
一般に電気掃除機は、図１１に示す如く、電動送風機と集塵部とを内蔵する掃除機本体１と、被掃除面に対面する開口部を有して集塵部に連通する吸口体６を有し、掃除機本体１と吸口体６の間に、ホース体２、ハンドルグリップ３及び手元操作部４、延長管５を備えて構成され、延長管５と吸口体６の間には、延長管５に対し吸口体６を着脱自在に保持するクランプ機構が設けられている。
【０００３】
このような電気掃除機を用いて掃除を行うとき、一般の床面には吸口体６を使用するが、家具の隙間や棚の上、あるいは高所な場所においては、延長管５から吸口体６を取り外して、延長管５の先端部を使用したり、付属の隙間用ノズルや棚用ノズルを装着して使用するようにしている。
【０００４】
このとき、吸口体６と延長管５の取り外しは、両手を使って片手は吸口体６を持ち、もう片手は延長管５を持ってその手でクランプ解除用の押釦２７を押すことにより、吸口体６の保持を解除して延長管５から吸口体６を取り外すようにしていた。また吸口体６を延長管５に装着するときも、同様に両手を使っていた。
【特許文献１】特開２００３―３３９５８５号公報
【発明の開示】
【発明が解決しようとする課題】
【０００５】
このように従来の電気掃除機では、吸口体の着脱作業を両手で行わなくてはならないので、作業がしにくく面倒であった。特にこの吸口体の着脱作業は、腰を屈めて行うことになるので、使用者にとって非常に使いづらいという問題があった。
【０００６】
本発明の目的は、これらの問題点を解消し、吸口体の着脱を簡単かつ楽に行うことのできる電気掃除機を提供することにある。
【課題を解決するための手段】
【０００７】
上記の目的を達成するため本発明は、電動送風機と集塵部とを内蔵する掃除機本体と、被掃除面に対面する開口部を有して前記集塵部に連通する吸口体を有し、掃除機本体と吸口体の間に、ホース体、手元操作部、延長管を備え、延長管に対し吸口体を着脱自在に保持するクランプ機構が設けられてなる電気掃除機において、吸口体側もしくは延長管側に、足で踏むことにより吸口体の保持を解除するクランプ解除手段を設けたことを特徴とするものである。
【０００８】
また本発明の電気掃除機では、延長管の先端部に付属ブラシユニットを装着し、この付属ブラシユニットに吸口体を保持する構成とし、この場合、付属ブラシユニットは、吸口体が保持された状態ではブラシが引込み、吸口体の保持が解除されるとブラシが表出する構造とする。
【０００９】
また本発明の電気掃除機において吸口体は、吸口本体と、この吸口本体に回動自在に連結され、延長管側に挿入嵌合される吸口継手と、によりなり、この吸口継手にクランプ解除手段を設けた構成とする。
そしてこの構成において吸口体には、吸口継手を吸口本体に対し起立方向に付勢する付勢手段を備え、ここでこの付勢手段は、吸口本体と吸口継手間の回動軸周りに装着した捩りコイルバネにより構成されるものとする。
【発明の効果】
【００１０】
本発明の電気掃除機によれば、吸口体を持ち上げることなく延長管と吸口体の着脱作業を簡単に行うことができ、特に本発明では、吸口体の保持を解除する操作を足で行えるため、腰を屈めないで操作できるので、使用者が楽に操作でき、非常に使いやすい。
【００１１】
また本発明の電気掃除機では、延長管の先端部に付属ブラシユニットを装着し、吸口体の保持が解除されるとブラシが表出する構造としたことにより、付属ブラシを差し替える面倒な作業を行うことなく、狭い場所や棚や高所の掃除が即可能となる。
【００１２】
さらに本発明の電気掃除機では、吸口体において吸口継手を吸口本体に対し起立方向に付勢するようにしたので、延長管に吸口体を装着する際に、使用者が立ったままでも吸口体の吸口継手を延長管側に簡単に挿入することができる。
【発明を実施するための最良の形態】
【００１３】
以下、図面を参照しながら本発明の好適な実施例について詳細に説明する。
図１は、本発明の実施例である電気掃除機の外観図を示す。本例の電気掃除機は、電動送風機と集塵部とを内蔵する掃除機本体１と、被掃除面に対面する開口部を有して集塵部に連通する吸口体６を有し、掃除機本体１と吸口体６の間に、ホース体２、ハンドルグリップ３及び手元操作部４、延長管５を備えて構成されている。またこの電気掃除機では、延長管５の先端部に付属ブラシユニット１４が装着されており、この付属ブラシユニット１４と前記吸口体６との間に、吸口体６を着脱自在に保持するクランプ機構が設けられている。
【００１４】
図３に示す如く、吸口体６は、吸口本体７と、この吸口本体７に連通して回動自在に連結される吸口継手８と、により構成される。吸口本体７は、被掃除面である床面Ｆに対面して開口する開口部７ａを有し、その内部には、エアー駆動式あるいはモータ駆動式で回転される回転ブラシ(図には表れていない)が設けられている。吸口継手８は、吸口本体７に対し回動軸９を支点として上下方向に起伏回動自在に連結される第１の通路形成部材１０と、この第１の通路形成部材１０に対し前記回動軸９と直交する回動軸１１を支点として回動自在に連結されるパイプ状の第２の通路形成部材１２と、により構成され、この第２の通路形成部材１２の先端の挿入部１２ａが延長管５側の付属ブラシユニット１４に挿入嵌合される。
【００１５】
付属ブラシユニット１４は、図５に示す如く、パイプ１５の外周に収納カバー１６を装着して構成され、この収納カバー１６の内部には、ブラシ１７を植設したブラシ台１８が摺動自在に収納されている。また収納カバー１６の内部においてブラシ台１８の軸部１９と収納カバー１６側の軸部２０との間には押出バネ２１が組み込まれており、この押出バネ２１の力によってブラシ台１８は、ブラシ１７が付属ブラシユニット１４の前方に突出するように付勢されている。
【００１６】
この付属ブラシユニット１４は、パイプ１５の後端１５ａの挿入部を延長管５の先端部に挿入して延長管５と連結される。またこの付属ブラシユニット１４においてパイプ１５の内部には、ブラシ台１８と一体に動く突起２２がガイド穴２３を通して突出されており、後述するように吸口体６の挿入動作に連動してこの突起２２が操作されることで、ブラシ１７の出没動作が行われる構造となっている。
【００１７】
この付属ブラシユニット１４に吸口体６を着脱自在に保持するクランプ機構は、付属ブラシユニット１４側に設けられるクランプ部材２５と、吸口体６側に設けられるクランプ受け部材３０と、により構成される。
クランプ部材２５は、図５に示す如く、一端部に係合爪２６を有すると共に、他端部に押釦２７を有し、中央部付近に形成された軸部２８を支点として回動自在にパイプ１５の外周に取り付けられている。またこのクランプ部材２５は、押釦２７とパイプ１５との間に組み込まれたクランプバネ２９の力によって常に係合爪２６がパイプ１５の内部に突出する方向に付勢されている。
【００１８】
一方、吸口体６側のクランプ受け部材３０は、図４に示す如く、吸口継手８の第２の通路形成部材１２の外周面に表出して設けられ、その先端部には、前記クランプ部材２５の係合爪２６と対応する係合段部３１が形成されている。
【００１９】
そして、吸口体６が延長管５側の付属ブラシユニット１４に装着された状態では、図６に示すように、吸口継手８の第２の通路形成部材１２が付属ブラシユニット１４のパイプ１５に挿入され、このときクランプ部材２５の係合爪２６がクランプ受け部材３０の係合段部３１に係合し、その状態がクランプバネ２９によって維持されることにより、吸口体６は付属ブラシユニット１４に装着された状態で固定保持される。またこの状態から、クランプ部材２５の押釦２７を押すことで、係合爪２６がクランプ受け部材３０の係合段部３１から外れて吸口体６の保持が解除される。
【００２０】
このように構成されるクランプ機構に加えて特に本発明による電気掃除機においては、足で踏むことにより吸口体６の保持を解除する足踏み式のクランプ解除手段３３が設けられている。本例ではこのクランプ解除手段３３は吸口体６側に設けられており、即ち図４に示す如く、吸口継手８の第２の通路形成部材１２にはその一側面に操作ペダル３４が設けられ、この操作ペダル３４を足で踏むことで前記クランプ機構による吸口体６の保持が解除される構造となっている。
【００２１】
操作ペダル３４は、第２の通路形成部材１２の長手方向に所定のストロークで直線移動可能に組み付けられており、ストッパー突起３５との間に組み込まれた戻りバネ３６の力によって常に定位置に復帰するように付勢されている。
【００２２】
この構成において前記クランプ機構を構成するクランプ受け部材３０は、第２の通路形成部材１２に対し軸３７を支点として回動可能に支持されていると共に、リンク部材３８及び３９を介して操作ペダル３４と動作的に連結され、即ち操作ペダル３４の動きに連動してクランプ受け部材３０が軸３７を支点として回動する構造となっている。
【００２３】
従って、クランプ機構によって吸口体６が保持されている状態(クランプ部材２５の係合爪２６がクランプ受け部材３０の係合段部３１に係合されている状態)から、操作ペダル３４を足で踏んで操作することにより、クランプ受け部材３０がクランプ部材２５の係合爪２６から外れる方向に回動し、これによって吸口体６の保持が解除される如く動作するものである。
【００２４】
続いて、以上のように構成される本例の電気掃除機における吸口体の着脱動作についてさらに詳細に説明する。
図６は吸口体６が付属ブラシユニット１４に装着された状態を示している。この状態では前述した如く、吸口継手８の第２の通路形成部材１２が付属ブラシユニット１４のパイプ１５に挿入され、その状態でクランプ部材２５の係合爪２６がクランプ受け部材３０の係合段部３１に係合されることにより、吸口体６は付属ブラシユニット１４から脱落することなくしっかりと固定保持されて、通常の床面掃除を行うことができる。
【００２５】
またこの状態において付属ブラシユニット１４は、ブラシ１７が収納カバー１６内に引込んだ状態にある。即ち、吸口継手８の第２の通路形成部材１２が付属ブラシユニット１４のパイプ１５に挿入されると、第２の通路形成部材１２の先端面が突起２２に当接してこれを押圧し、そのため突起２２と一体にブラシ台１８が押出バネ２１の力に抗して収納カバー１６の奥へと移動してブラシ１７が収納カバー１６内に引込んだ状態となる。このように吸口体６が付属ブラシユニット１４に装着された状態でブラシ１７が引込む構造としたことにより、通常の床面掃除中にブラシ１７を効果的に保護することができる。
【００２６】
そして、この状態からブラシ１７を使用する際には、操作ペダル３４を足で踏んで操作することにより、図７に示す如く、操作ペダル３４とリンク部材３８及び３９を介して動作的に連結されているクランプ受け部材３０が軸３７を支点としてクランプ部材２５の係合爪２６から外れる方向に回動し、これによって吸口体６の保持が解除される。
【００２７】
このようにして吸口体６の保持が解除されると、図８に示すように、押出バネ２１の力によってブラシ台１８が収納カバー１６の開口側へと移動することによってブラシ１７が収納カバー１６から付属ブラシユニット１４の前方に表出し、同時にブラシ台１８と一体に移動する突起２２によって吸口継手８の第２の通路形成部材１２が押し出される状態となり、こうして付属ブラシユニット１４から吸口体６を離脱させることができる。
【００２８】
以上のように本例の電気掃除機では、付属ブラシユニット１４に吸口体６を装着した状態にすると、通常の床面掃除を行うことができ、吸口体６が入らない狭い場所や高所、棚などを掃除する場合は必要に応じて操作ペダル３４を足踏みすることで、付属ブラシユニット１４から吸口体６を離脱させて即座にブラシ１７を使った掃除を行うことができる。
【００２９】
また、通常の掃除に戻りたい場合は、床面Ｆに置いてある吸口体６の吸口継手８を延長管５側の付属ブラシユニット１４に挿入させることで可能となる。この場合、吸口体６が付属ブラシユニット１４から離脱すると、図３に示すように吸口体６の吸口継手８が床面Ｆと略水平の状態に倒れた状態となってしまう。その状態では、通常の掃除に戻る際に使用者が立ったままでは、吸口体６の吸口継手８を付属ブラシユニット１４に挿入しにくいという問題が残る。
【００３０】
そこで吸口体６においては、図９に示すように、吸口継手８の第１の通路形成部材１０の回動軸９周りに付勢手段として自立バネ４０を装着し、吸口継手８が吸口本体７に対し起立方向に付勢される構造とする。自立バネ４０は捩りコイルバネによって構成され、その一端４０ａが回動軸９に固定されると共に、他端４０ｂが吸口本体７内の係止部４１に固定されており、この自立バネ４０の力によって吸口継手８が床面Ｆに対し所定の角度に持ち上げられるように構成している。
【００３１】
従って、吸口体６が付属ブラシユニット１４から離脱しても、吸口継手８が起立した姿勢を維持しているので、使用者が立ったままでも延長管５側の付属ブラシユニット１４に吸口継手８を簡単に挿入することができる。なお、吸口継手８は吸口本体７に対し略水平状態から略垂直状態へ約９０度の範囲で回動できるようになっているが、自立バネ４０による起立角度は床面Ｆに対し４５度程度とすることが望ましく、即ちこの角度が吸口継手８を付属ブラシユニット１４に最も挿入しやすい角度である。
【００３２】
以上に説明した本例の電気掃除機では、吸口体６を持ち上げないで延長管５側の付属ブラシユニット１４と吸口体６の着脱ができ、かつ、着脱の操作を足で行えるので、腰を屈めることもなく楽な姿勢で作業ができる。
また本例の電気掃除機では、延長管５の先端部に付属ブラシユニット１４を装着し、吸口体６の保持が解除されるとブラシ１７が表出する構造としたことにより、付属ブラシを差し替える面倒な作業を行うことなく、狭い場所や棚や高所の掃除が即可能となる。さらには、付属ブラシユニット１４において比較的毛の長いブラシ１７を使用することにより、曲面を有した物体や凸凹場所の掃除が容易に可能となる。
【００３３】
また本例の電気掃除機は、既存の電気掃除機から吸口体６の吸口継手８の設計変更だけで実施が可能であり、吸口体６の質量がクランプ解除手３３段のみの追加となるので軽量化と低コスト化が図られる。また、吸口体６を買い換えるだけで既存の延長管５が使えるという利点がある。
【００３４】
なお、以上の実施例では、足踏み式のクランプ解除手段３３は吸口体６側に設けられているが、これを付属ブラシユニット１４側に設けた構成としてもよい。
【００３５】
図１０は手元操作部４の直下に付属ブラシユニット１４を装着し、この付属ブラシユニット１４の前方に延長管５を装着して使用した状態を示す。
この状態で通常の床面掃除を行っており、例えば吸口体６の開口部から吸い込めない大きなゴミの塊を掃除したい場合など、必要に応じて操作ペダル３４を足踏みすることにより、延長管５から吸口体６を離脱させることができるので、適応する付属ブラシ等に差し替える面倒な作業を行うことなく、即座に目標物を掃除することができる。また、通常の掃除に戻りたい場合は、床面に置いてある吸口体６の吸口継手を延長管５に挿入することで可能となる。さらに、付属ブラシユニット１４を使用する場合は、付属ブラシユニット１４の前方の延長管５を外すことにより、ブラシによる家具や棚等の掃除が可能となる。
なお、この例の電気掃除機においても足踏み式のクランプ解除手段３３は吸口体６側に設けてあるが、これを延長管５側に設けた構成としてもよい。
【００３６】
以上、本発明の実施例について説明したが、本発明はこれらの実施例に限定されることなく他にも種々の実施形態を採り得るものである。本発明は、実施例に示したような床移動型の掃除機だけでなく、他にも例えばスティック式の掃除機にも適用することができる。
【図面の簡単な説明】
【００３７】
【図１】本発明の実施例を示す電気掃除機の外観図である。
【図２】主要部の拡大図で、吸口体が延長管側から離脱した状態である。
【図３】吸口体の構成を示す一部切り欠いた側面図である。
【図４】吸口継手の構成を示す図で、(Ａ)は一部切り欠いた上面図、(Ｂ)は一部切り欠いた側面図である。
【図５】付属ブラシユニットの構成を示す縦断側面図である。
【図６】吸口体の着脱を説明する図で、吸口体が付属ブラシユニットに保持された状態である。
【図７】同、吸口体の保持が解除された状態である。
【図８】同、吸口体が付属ブラシユニットから押し出された状態である。
【図９】本発明の他の実施例を示す吸口体の一部切り欠いた側面図である。
【図１０】本発明のさらに他の実施例を示す電気掃除機の外観図である。
【図１１】従来の電気掃除機を示す外観図である。
【符号の説明】
【００３８】
１…掃除機本体、２…ホース体、３…ハンドルグリップ、４…手元操作部、５…延長管、６…吸口体、７…吸口本体、８…吸口継手、１４…付属ブラシユニット、１７…ブラシ、２５…クランプ部材、３０…クランプ受け部材、３３…クランプ解除手段、３４…操作ペダル、４０…自立バネ
【図１】
2005312788.tif 000003
【図２】
2005312788.tif 000004
【図３】
2005312788.tif 000005
【図４】
2005312788.tif 000006
【図５】
2005312788.tif 000007
【図６】
2005312788.tif 000008
【図７】
2005312788.tif 000009
【図８】
2005312788.tif 000010
【図９】
2005312788.tif 000011
【図１０】
2005312788.tif 000012
【図１１】
2005312788.tif 000013